(57)【要約】【課題】本発明は、アンテナ及び磁界通信装置に関し、例えば携帯型音楽プレイヤーの本体装置からイヤフォン側へのオーディオデータの伝送に適用して、広い指向性を有する小型の磁界通信用のアンテナ、このアンテナを用いた通信装置を提案する。【解決手段】本発明は、棒状に延長する中央の部位２５Ａの両端に、棒状に延長する第１及び第２の脚部２５Ｂ、２５Ｃを有し、これら中央の部位２５Ａ、第１及び第２の脚部２５Ｂ、２５Ｃが互いに直交するように設定されたコア２５を用いてアンテナ９Ａ、９Ｂを形成する。【選択図】        図１
2008258881.tif 000002
【特許請求の範囲】
【請求項１】
磁界通信用のアンテナにおいて、
所定方向に延長する棒状の中央の部位と、前記中央の部位の一端に設けられて、前記中央の部位の延長方向と直交する方向に棒状に延長する第１の脚部と、前記中央の部位の他端に設けられて、前記中央の部位の延長方向と前記第１の脚部の延長方向とに直交する方向に棒状に延長する第２の脚部とを有するコアと、
前記コアに巻回されたコイルとを備える
ことを特徴とするアンテナ。
【請求項２】
前記第１及び又は第２の脚部に、さらにコアが設けられた
ことを特徴とする請求項１に記載のアンテナ。
【請求項３】
アンテナを介して、磁界通信により所望のデータを送信し、及び又は所望のデータを受信する磁界通信装置において、
前記アンテナは、
所定方向に延長する棒状の中央の部位と、前記中央の部位の一端に設けられて、前記中央の部位の延長方向と直交する方向に棒状に延長する第１の脚部と、前記中央の部位の他端に設けられて、前記中央の部位の延長方向と前記第１の脚部の延長方向とに直交する方向に棒状に延長する第２の脚部とを有するコアと、
前記コアに巻回されたコイルとを備える
ことを特徴とする磁界通信装置。
【請求項４】
前記第１及び又は第２の脚部に、さらにコアが配置された
ことを特徴とする請求項３に記載の磁界通信装置。
【請求項５】
前記アンテナを複数個有する
ことを特徴とする請求項３に記載の磁界通信装置。
【請求項６】
前記アンテナを介して周波数帯域１０〜１００〔ＭＨｚ〕により前記データを送信し、又は前記データを受信する
ことを特徴とする請求項３に記載の磁界通信装置。
【発明の詳細な説明】
【技術分野】
【０００１】
本発明は、アンテナ及び磁界通信装置に関し、例えば携帯型音楽プレイヤーの本体装置からイヤフォン側へのオーディオデータの伝送に適用することができる。本発明は、棒状に延長する中央の部位の両端に、棒状に延長する第１及び第２の脚部を有し、これら中央の部位、第１及び第２の脚部が互いに直交するように設定されたコアを用いてアンテナを形成することにより、広い指向性を有する小型の磁界通信用のアンテナ、このアンテナを用いた通信装置を提案する。
【背景技術】
【０００２】
従来、携帯型の音楽プレイヤーでは、本体装置とイヤフォンとをケーブルで接続し、このケーブルを使用した有線により本体装置からイヤフォンにオーディオ信号を伝送している。この種の携帯型の音楽プレイヤーは、本体装置とイヤフォンとの間に設けたリモートコマンダにより本体装置を操作可能に構成されている。
【０００３】
また同様の携帯機器であるＧＰＳ（Global Positioning System ）受信機に関して、特開２０００−１５７７号公報には、バーアンテナに関する工夫が提案されている。
【０００４】
ところでこの種の音楽プレイヤーにおいて、例えばＢｌｕｅｔｏｏｔｈ等の無線通信の手法を適用して、１台の本体装置で再生する音楽を、各人が保持するイヤフォンに伝送して複数人で楽しむことができれば、便利であると考えられる。
【０００５】
しかしながらこの種の無線通信による場合には、周囲の機器からの電磁波ノイズの影響を受け、また他の機器への影響を防止する等の為に電力が制限され、さらには導体により無線通信波が遮蔽される問題がある。
【０００６】
この問題を解決する１つの方法として、いわゆる磁界通信を適用することが考えられる。すなわち磁界通信によれば、機器から遠ざかると急激に電界強度が低下することにより、他の機器からの影響、他の機器への影響を防止することができる。また導体による遮蔽も回避することができる。
【０００７】
しかしながらこの種の機器では、本体装置に対する通信対象の位置、方向が種々に変化することが予測されることから、広い指向性を有する磁界通信用のアンテナが必要になる。また当然のことではあるが、小型の磁界通信用のアンテナが必要になる。
【特許文献１】特開２０００−１５７７号公報
【発明の開示】
【発明が解決しようとする課題】
【０００８】
本発明は以上の点を考慮してなされたもので、広い指向性を有する小型の磁界通信用のアンテナ、このアンテナを用いた通信装置を提案しようとするものである。
【課題を解決するための手段】
【０００９】
上記の課題を解決するため請求項１の発明は、磁界通信用のアンテナに適用して、所定方向に延長する棒状の中央の部位と、前記中央の部位の一端に設けられて、前記中央の部位の延長方向と直交する方向に棒状に延長する第１の脚部と、前記中央の部位の他端に設けられて、前記中央の部位の延長方向と前記第１の脚部の延長方向とに直交する方向に棒状に延長する第２の脚部とを有するコアと、前記コアに巻回されたコイルとを備えるようにする。
【００１０】
また請求項３の発明は、アンテナを介して、磁界通信により所望のデータを送信し、及び又は所望のデータを受信する磁界通信装置に適用して、前記アンテナは、所定方向に延長する棒状の中央の部位と、前記中央の部位の一端に設けられて、前記中央の部位の延長方向と直交する方向に棒状に延長する第１の脚部と、前記中央の部位の他端に設けられて、前記中央の部位の延長方向と前記第１の脚部の延長方向とに直交する方向に棒状に延長する第２の脚部とを有するコアと、前記コアに巻回されたコイルとを備えるようにする。
【００１１】
請求項１又は請求項３の構成によれば、第１及び第２の脚部により中央のコアの延長方向から離れた方向にも指向性を拡大し、かつアンテナ利得を十分に確保することができ、これにより広い指向性を有する小型の磁界通信用のアンテナ、このアンテナを用いた通信装置を得ることができる。
【発明の効果】
【００１２】
本発明によれば、広い指向性を有する小型の磁界通信用のアンテナ、このアンテナを用いた通信装置を提供することができる。
【発明を実施するための最良の形態】
【００１３】
以下、適宜図面を参照しながら本発明の実施例を詳述する。
【実施例１】
【００１４】
（１）実施例１の構成
図２は、本発明の実施例１の音楽プレイヤーシステムを示すブロック図である。この音楽プレイヤーシステム１は、本体装置２で再生したオーディオデータを磁界通信によりイヤフォン装置３及び４に送信し、各イヤフォン装置３及び４のユーザーにそれぞれ音楽を提供する。
【００１５】
ここで本体装置２において、再生部５は、制御部６の制御により動作を切り換え、メモリカード、ハードディスク装置、光ディスク等の各種記録媒体に記録されたオーディオデータを再生して出力する。データ処理部７は、制御部６の制御により再生部５で再生されたオーディオデータＤＡの音質等を調整して出力する。送受信部８は、制御部６の制御により時分割で動作を切り換え、データ処理部７で処理されたオーディオデータＤＡをアンテナ９Ａ又は９Ｂより送出すると共に、マスタのイヤフォン装置３から送出される制御データＤ１をアンテナ９Ａ又は９Ｂにより受信して制御部６に出力する。制御部６は、本体装置２の動作を制御するコンピュータであり、本体装置２に設けられた操作子の操作、送信部８で受信される制御データＤ１に応じて、各部の動作を制御する。
【００１６】
イヤフォン装置３及び４は、それぞれ本体装置２から送出されたオーディオデータを受信するリモコン部１１と、このリモコン部１１にケーブルで接続されて、リモコン部１１により駆動されるイヤフォン１２とにより構成される。なおイヤフォン装置３及び４は、何れか一方の装置のみがマスタに設定されて動作する点を除いて、同一に構成されることにより、以下においては、イヤフォン装置４についての説明を省略する。
【００１７】
すなわちイヤフォン装置３のリモコン部１１において、送受信部１３は、制御部１４の制御により、本体装置２から送出されたオーディオデータＤＡをアンテナ１５Ａ又は１５Ｂにより受信し、駆動部１６に出力する。また図示しない操作子の操作により、ユーザーがこのリモコン部１１をマスタの装置に設定すると、制御部１４から出力される各種の制御データＤ１をアンテナ１５Ａ又は１５Ｂにより本体装置２に送出する。駆動部１６は、この送受信部１３で受信されたオーディオデータをデジタルアナログ変換処理してオーディオ信号を生成し、このオーディオ信号によりイヤフォン１２を駆動する。制御部１４は、このイヤフォン装置３の動作を制御するコンピュータであり、ユーザーによる操作子の操作に応動して駆動部１６の動作を制御することにより、イヤフォン１２から出力されるオーディオ信号の音量を可変する。またユーザーによりこのイヤフォン装置３がマスタの装置に設定されると、曲送り、選局等のユーザーによる操作を受け付け、このユーザーの操作を制御データＤ１により本体装置２に通知する。
【００１８】
図３は、本体装置２に設けられた送受信部８の構成を詳細に示すブロック図である。なおイヤフォン装置３、４の送受信部１３も、この本体装置２の送受信部８と同一に構成される。従ってイヤフォン装置３、４の送受信部１３については、この図３において、括弧書の符号により対応する構成を示す。ここで送受信部８は、アンテナ９Ａ及び９Ｂで受信される高周波信号を比較回路２１に入力し、ここでこれら高周波信号の信号レベルを比較する。またこの比較結果に基づいて選択回路２２の接点を切り換えることにより、高周波信号の信号レベルの大きい側のアンテナ９Ａ又は９Ｂを選択的に受信回路２３、送信回路２４に接続する。
【００１９】
送信回路２４は、データ処理部７から出力されるオーディオデータを所定周波数の搬送波信号により変調し、その結果得られる変調信号により選択回路２２で選択されたアンテナ９Ａ又は９Ｂを駆動する。なおここでこの実施例では、この搬送波信号は、周波数１３．５〔ＭＨｚ〕程度に設定されるものの、搬送波の周波数は、５〔ＭＨｚ〕〜１００〔ＭＨｚ〕程度の範囲で、必要に応じて種々に設定することができる。
【００２０】
受信回路２３は、選択回路２２を介して入力される高周波信号から制御データＤ１を復調して出力する。これによりこの実施例では、受信状態の良好な側のアンテナ９Ａ又は９Ｂを選択的に使用してイヤフォン装置３、４との間でオーディオデータＤＡ、制御データＤ１を送受する。またイヤフォン装置３、４においても、それぞれ受信状態の良好な側のアンテナ１５Ａ又は１５Ｂを選択的に使用して、本体装置２から送出されたオーディオデータＤＡを受信し、さらには制御データＤ１を送出する。
【００２１】
なおアンテナ出力の比較によりアンテナ９Ａ、９Ｂを選択する代わりに、例えばエラーレートがよい側のアンテナを選択する等、アンテナの選択基準は種々に設定することができる。またアンテナ９Ａ及び９Ｂの出力信号をそれぞれ加算又は減算すると共に、変調信号により双方のアンテナを駆動するようにし、アンテナ利得、指向性を向上するようにしてもよい。また２つのアンテナの出力信号の位相差を調整して加算、減算するようにし、さらには２つのアンテナの駆動に位相差を設けるようにし、さらにアンテナの利得、指向性を向上するようにしてもよい。
【００２２】
図１は、これらアンテナ９Ａ及び９Ｂを詳細に示す略線図である。アンテナ９Ａは、所定形状のコア２５にコイル２６を巻回して形成される。コア２５は、搬送波の周波数で比透磁率が２０以上のフェライト材により形成され、ダイサーによる切削加工により、又は焼成により形成される。コア２５は、棒形状により所定方向に延長するように中央部２５Ａが形成され、この中央部２５Ａの両端に、同様の棒形状による脚部２５Ｂ、２５が設けられる。なお脚部２５Ｂ、２５Ｃは、その延長方向のほぼ中央で、中央部２５Ａの端部に接続される。コア２５は、これら中央部２５Ａ、脚部２５Ｂ、２５Ｃのそれぞれ延長する方向が互いに直交するように形成される。またこの実施例では、これら中央部２５Ａ、脚部２５Ｂ、２５Ｃの断面形状が矩形形状に設定され、これら中央部２５Ａ、脚部２５Ｂ、２５Ｃが角柱形状により形成される。なおフェライト材としては、ＭｎＺｎを適用した。なおコアには、周波数１〜５０〔ＭＨｚ〕で比透磁率が３０〜１００程度の材料を広く適用することができる。
【００２３】
コイル２６は、中央部２５Ａのほぼ中央に、巻線用のコイルボビンにマグネットワイヤが巻回されて設けられる。なおこれによりアンテナ９Ａは、例えば図４に示すように、図示しないコイルボビにマグネットワイヤを巻回してコイル２６が形成された後、このコイル２６に略Ｔの字形状による同一形状のコア２７、２８を差し込み、これらコア２７、２８を一体化して形成される。なお図４に示すような同一形状によりコア２７、２８に代えて、一方が略Ｔの字形状であり、他方が棒形状であるコアを用いるようにしてもよい。またこれに代えて、直接に、又はフィルム等のセパレータを介して、コア２５の中央部２５Ａにマグネットワイヤを巻回してコイル２６を作成してもよい。また中央部２５Ａの中心軸を含む仮想面により分割するように２つの部材によりコイルボビンを形成するようにし、この２つの部材をコア２５の中央部２５Ａで組み合わせてコイルボビンをコア２５に装着し、その後、マグネットワイヤを巻回するようにしてもよい。
【００２４】
ここで本体装置２（図１）は、略長方体形状の筐体２Ａに各部が収納されて形成される。この長方体形状の筐体２Ａを正面から見たときの奥行き方向、左右方向、上下方向をそれぞれＸ方向、Ｙ方向、Ｚ方向としたとき、アンテナ９Ａは、中央部２５Ａ、脚部２５Ｂ、２５Ｃの延長方向がそれぞれＸ方向、Ｚ方向、Ｙ方向となるように配置される。
【００２５】
これに対してアンテナ９Ｂは、アンテナ９Ａと同一に形成され、中央部２５Ａの延長方向が、アンテナ９Ａの中央部２５Ａの延長方向と直交するように配置され、アンテナ９Ａにおいて利得が減少する方向で、利得が増大するように配置される。より具体的にこの実施例において、アンテナ９Ｂは、中央部２５Ａ、脚部２５Ｂ、２５Ｃの延長方向がそれぞれＹ方向、Ｚ方向、Ｘ方向となるように配置される。
【００２６】
アンテナ９Ａ及び９Ｂは、各コイル２６が比較回路２１、選択回路２２（図１）に接続される。
【００２７】
（２）実施例の動作
以上の構成において、この音楽プレイヤーシステム１では（図２及び図３）、マスタに設定されたイヤフォン装置３のリモコン部１１をユーザーが操作すると、この操作を通知する制御データＤ１がアンテナ１５Ａ、１５Ｂを介した磁界通信により本体装置２に通知され、この通知に従って制御部６の制御により再生部５でオーディオデータＤＡが再生される。またこの再生されたオーディオデータＤＡがデータ処理部７で処理された後、送受部８によりアンテナ９Ａ、９Ｂを駆動して磁界通信により送出される。この音楽プレイヤー１では、この磁界通信によるオーディオデータＤＡが、イヤフォン装置３、４の送受部１３で受信され、アナログ信号に変換されてイヤフォン１２が駆動される。
【００２８】
これによりこの音楽プレイヤーシステム１では、磁界通信によりオーディオデータＤＡを送受して、１つの本体装置２で再生した音楽を複数のユーザーで楽しむことができ、従来に比して使い勝手を向上することができる。
【００２９】
またこのオーディオデータＤＡの送受が磁界通信によるものであることから、Ｂｌｕｅｔｏｏｔｈ等の無線通信により場合に比して、他の機器に対する影響、他の機器からの影響を格段的に低減することができ、また導体による影響を受けることなく、安定にオーディオデータＤＡを送受することができる。すなわち本体装置２、イヤフォン装置３、４は、一般に、数センチ角の小型に形成され、このような小型の機器で無線通信によりデータを送受する場合、アンテナの寸法から数十〔ＧＨｚ〕の周波数帯域を使用することになる。しかしながら数十〔ＧＨｚ〕帯の周波数帯域では、アンテナから放射された電磁波が比較的長距離まで伝搬し、これにより他の機器に種々の影響を与えることになり、またこれとは逆に周囲の他の機器からの種々の影響を受けることになる。これに対して磁界通信では、フェライトにコイルを巻線してアンテナを形成し、数十〜数百〔ＭＨｚ〕の周波数帯域を使用することができ、この周波数帯域では、距離に対する減衰率が大きい特徴がある。これによりこの音楽プレイヤーシステム１では、周囲の機器への影響、周囲の機器からの影響を低減することができる。
【００３０】
このため音楽プレイヤーシステム１では（図１）、フェライトコア２５にコイルを巻線してアンテナを形成し、このアンテナを使用して周波数１３．５〔ＭＨｚ〕の搬送波により変調信号を送受してオーディオデータＤＡを送受する。
【００３１】
しかしながら音楽プレイヤーシステム１では、本体装置２に対するイヤフォン装置３、４の位置、方向が種々に変化することが予測され、これによりアンテナには無指向性に近い指向性が求められる。ここで単に棒状のフェライトコアにコイルを巻線してアンテナを作成した場合、図５において符号Ｌ１で示すように、フェライトコアの延長方向に強い指向性を有することが判った。なおここでこの図５に示す特性は、１辺が５〔ｍｍ〕の断面矩形形状であって、長さ１５〔ｍｍ〕の棒形状のフェライトコアに、コイルを巻線したアンテナの受信特性であり、フェライトコアの延長方向を０度として、この方向にループアンテナを設け、このループアンテナに対するアンテナの角度を徐々に傾けて測定した指向性である。
【００３２】
そこでこの音楽プレイヤーシステム１では、棒状に延長する中央の部位である中央部２５Ａの両端に、棒状に延長する第１及び第２の脚部２５Ｂ、２５Ｃを有し、これら中央の部位２５Ａ、第１及び第２の脚部２５Ｂ、２５Ｃが互いに直交するように設定されたコア２５を用いてアンテナ９Ａ、９Ｂが形成される。
【００３３】
このアンテナ９Ａ、９Ｂの場合、コイル２６を巻回した中央部分２５Ａの両端に、この中央部分２５Ａの延長方向と直交する方向に延長する脚部２５Ｂ、２５Ｃが設けられていることから、この脚部２５Ｂ、２５Ｃの延長する方向について、指向性を広げることができる。また脚部２５Ｂ、２５Ｃの分、磁束を横切るコアの断面積が増大することにより、アンテナ利得の低下を有効に回避して指向性を広げることができる。
【００３４】
またアンテナ９Ａ、９Ｂでは、この脚部２５Ｂ、２５Ｃの延長方向が直交していることから、中央部２５Ｂの延長方向に対して何れの方向にも指向性を広げることができ、これにより本体装置２に対してイヤフォン装置３、４の方向が種々に変化した場合でも、安定にオーディオデータを送受することができる。
【００３５】
すなわち図５において、符号Ｘ−Ｚは、図１におけるＸ−Ｚ平面内において、中央部２５Ａの延長方向（Ｘ方向）を０度に設定してアンテナ９Ａの指向性を測定した場合である。また符号Ｘ−Ｙは、同様にして、Ｘ−Ｙ平面内において、アンテナ９Ｂの指向性を測定した場合である。なおこの測定は、図６に示すように、符号ａにより示すように、１辺が５〔ｍｍ〕の断面矩形形状により中央部分５２Ａを形成し、符号ｂにより示す脚部２５Ｂ、２５Ｃを含めた中央部２５Ａの長さ、脚部２５Ｂ、２５Ｃを１５〔ｍｍ〕とし、符号ｃにより示す脚部２５Ｂ、２５Ｃの厚みを２．５〔ｍｍ〕とし、コイル２６を２０〜２６ターンにより形成した場合である。この図５の特性によれば、脚部２５Ｂ、２５Ｃを設けたことにより、Ｙ方向及びＺ方向に指向性が広がっていることが判る。
【００３６】
これによりこの音楽プレイヤーシステム１では、広い指向性を有する小型の磁界通信用のアンテナを提供し、さらにこのアンテナを使用した通信装置を提供することができる。
【００３７】
しかしながらこのようにアンテナ９Ａ、９Ｂの指向性を広げても、図５に示すように、Ｚ方向、Ｙ方向では、アンテナ利得の低下を避け得ない。
【００３８】
そこでこの音楽プレイヤーシステム１では、中央部分２５Ａが直交するようにアンテナ９Ａ、９Ｂが配置され（図１）、通信状態のよい側のアンテナ９Ａ又は９Ｂを選択的に使用してオーディオデータを送受する。これにより音楽プレイヤーシステム１では、本体装置２に対してイヤフォン装置３、４の位置、方向が種々に変化した場合でも、安定かつ確実にオーディオデータを送受することができる。
【００３９】
（３）実施例の効果
以上の構成によれば、棒状に延長する中央の部位の両端に、棒状に延長する第１及び第２の脚部を有し、これら中央の部位、第１及び第２の脚部が互いに直交するように設定されたコアを用いてアンテナを形成することにより、広い指向性を有する小型の磁界通信用のアンテナ、このアンテナを用いた通信装置を提案することができる。
【００４０】
またこの磁界通信用のアンテナを使用してオーディオデータを送受することにより、通信対象の機器間で相対位置が種々に変化する場合でも、磁界通信により安定かつ確実にオーディオデータを送受することができる。
【００４１】
またコイルを巻回する部位が直交するように、複数の磁界通信用のアンテナを配置して使用することにより、通信対象の機器間で相対位置が種々に変化する場合でも、一段と安定かつ確実にオーディオデータを送受することができる。
【実施例２】
【００４２】
図７は、本発明の実施例２の音楽プレイヤーシステムに適用されるアンテナを示す斜視図である。この実施例では、上述のアンテナ９Ａ、９Ｂ、１５Ａ、１５Ｂに代えて、この図７のアンテナ３１が適用される。
【００４３】
ここでこのアンテナ３１は、上述のアンテナ９Ａ、９Ｂ、１５Ａ、１５Ｂに使用したと同一のコア２５にマグネットワイヤを巻線して形成される。このアンテナ３１は、中央部２５Ａ、前側の脚部２５Ｂの双方を周回するように、中央部２５Ａの脚部２５Ｂ側端に、斜めにマグネットワイヤが巻線されて第１のコイル２６Ａが形成される。また同様に、中央部２５Ａ、後側の脚部２５Ｃの双方を周回するように、中央部２５Ａの脚部２５Ｃ側端に、斜めにマグネットワイヤが巻線されて第２のコイル２６Ｂが形成される。
【００４４】
このアンテナ３１は、これら第１及び第２のコイル２６Ａ及び２６Ｂが接続されて形成される。
【００４５】
この実施例によれば、中央部２５Ａと前側の脚部２５Ｂとを周回するように形成された第１のコイルと、中央部２５Ａと後側の脚部２５Ｃとを周回するように形成された第２のコイルとを接続してコイルを形成したことにより、実施例１のアンテナに比して、コイルに鎖交する磁束数を増大させることができ、その分、アンテナの利得を増大させることができる。
【実施例３】
【００４６】
図８は、本発明の実施例３の音楽プレイヤーシステムに適用されるアンテナを示す斜視図である。この実施例では、上述のアンテナ９Ａ、９Ｂ、１５Ａ、１５Ｂに代えて、この図８のアンテナ４１が適用される。
【００４７】
ここでこのアンテナ４１は、一方の脚部２５Ｂの外側の両端に、他方の脚部２５Ｃの延長方向に延長する棒状コア４２、４３が設けられる。このアンテナ４１は、この棒状コア４２、４３によりコイル２６に鎖交する磁束数を増大させ、アンテナの利得を増大させる。
【００４８】
図９は、この棒状コア４２、４３を設けた場合のＸ−Ｙ平面内における指向性を示す特性曲線図である。なお棒状コア４２、４３には、脚部２５Ｃと同一形状のコアを適用した。この場合、アンテナの利得を１．６倍に増大させることができた。
【００４９】
この実施例によれば、一方の脚部の両端に、他方の脚部の延長方向に延長する棒状コアを設けることにより、一段とアンテナ利得を増大させることができる。
【実施例４】
【００５０】
図１０は、本発明の実施例４のＩＣカードシステムを示すブロック図である。このＩＣカードシステム５１は、例えば駅の改札システムに適用して、ＩＣカード５２とリーダライタ５３との間種々のデータを送受する。
【００５１】
すなわちＩＣカード５２は、内蔵のループアンテナに誘起される動作用の電源を生成して動作し、リーダライタ５３からの呼び掛けが受信されると、応答を返す。またこの応答によりリーダライタ５３と間で認証用のデータを送受し、正しい認証結果が得られると、リーダライタ５３の要求する各種のデータをリーダライタ５３に送出する。
【００５２】
リーダライタ５３において、表示部５４は、制御部５５の制御により各種の情報等を表示し、入力部５６は、ユーザーの操作を受け付けて制御部５５に通知する。外部装置５６は、このＩＣカードシステム５１を管理するホストコンピュータ等により構成され、制御部５５との間で種々のデータを送受する。
【００５３】
制御部５５は、リーダライタ５３の動作を制御するコンピュータであり、変復調部５８の制御によりＩＣカード５２との間で種々のデータを送受する。変復調部５８は、アンテナ９Ａ〜９Ｃを介してＩＣカード５２２との間で種々のデータを送受する。すなわち変復調部５８は、制御部５５の制御により一定の時間間隔でＩＣカード５２に応答を呼び掛け、この呼び掛けに対してＩＣカード５２から応答が得られると、ＩＣカード５２との間で認証用のデータを送受し、認証の処理を実行する。また正しい認証結果が得られると、改札業務に必要なデータをＩＣカード５２から取得して制御部５５に出力する。
【００５４】
アンテナ９Ａ〜９Ｃは、矢印Ａにより示すＩＣカード５２の移動経路の下側、この移動経路に沿って一定の間隔で配置される。またアンテナ９Ａ〜９Ｃは、最も指向性の強い側である中央部２５Ａの延長方向がＩＣカード５２側となるように配置される。アンテナ９Ａ〜９Ｃは、例えばコイル２６が並列に接続されて変復調部５８に接続されることにより、同時並列的に駆動され、また出力信号が加算されて処理される。
【００５５】
これによりリーダライタ５３は、ＩＣカード５２の移動経路に沿った細長い領域内であれば、アンテナ９Ａ〜９Ｃからある程度離間した位置でもＩＣカード５２との間で種々のデータを送受できるように構成され、これにより例えばＩＣカード５２をバックに入れたままの状態でも改札の処理を実行できるように構成される。
【００５６】
この実施例によれば、ＩＣカードシステムに適用しても、上述の実施例と同様の効果を得ることができる。また複数のアンテナを使用することにより、通信可能範囲を種々に設定することができる。
【実施例５】
【００５７】
なお上述の実施例３においては、アンテナの脚部に専用のコアを設ける場合について述べたが、本発明はこれに限らず、例えば装置の筐体側にコアを設け、筐体にアンテナを収納した際にこの筐体側のコアがアンテナの脚部に位置するようにしてもよい。またこの筐体側のコアにあっては、例えば不要輻射防止用のコア、放送波受信用アンテナのコア等、他の用途に使用する目的で設けられたコアを利用するようにしてもよい。
【００５８】
また上述の実施例３においては、アンテナの脚部に専用のコアを設ける場合について述べたが、本発明はこれに限らず、例えば不要輻射防止用のコア、放送波受信用アンテナのコア等、他の用途に使用する目的で設けられるコアを配置するようにしてもよい。
【００５９】
また上述の実施例においては、脚部のほぼ中央で中央部の両端に接続した形状にコアを形成する場合について述べたが、本発明はこれに限らず、この中央の両端に接続する箇所を脚部の中央から偏らせるようにしてもよい。
【００６０】
また上述の実施例においては、断面矩形形状によりコアを形成する場合について述べたが、本発明はこれに限らず、例えば断面円形形状によりコアを形成するようにしてもよい。
【００６１】
また上述の実施例においては、２個又は３個のアンテナを設ける場合について述べたが、本発明はこれに限らず、実用上十分な特性を確保することができる場合には、アンテナを１個だけ設けるようにしてもよく、またこれとは逆にアンテナを４個以上設けるようにしてもよい。
【００６２】
また上述の実施例においては、本発明を音楽プレイヤーシステム、ＩＣカードシステムに適用する場合について述べたが、本発明はこれに限らず、種々の機器間のデータ通信に広く適用することができる。
【産業上の利用可能性】
【００６３】
本発明は、例えば携帯型音楽プレイヤーの本体装置からイヤフォン側へのオーディオデータの伝送に適用することができる。
【図面の簡単な説明】
【００６４】
【図１】本発明の実施例の携帯型音楽プレイヤーに適用されるアンテナの構成を示す斜視図である。
【図２】本発明の実施例の音楽プレイヤーシステムを示すブロック図である。
【図３】図２の音楽プレイヤーシステムの本体装置に設けられた送受信部の構成を詳細に示すブロック図である。
【図４】図１のアンテナの説明に供する分解斜視図である。
【図５】図１のアンテナの指向性を示す特性曲線図である。
【図６】図１のアンテナのコアの形状を示す斜視図である。
【図７】本発明の実施例２の音楽プレイヤーシステムに適用されるアンテナを示す斜視図である。
【図８】本発明の実施例３の音楽プレイヤーシステムに適用されるアンテナを示す斜視図である。
【図９】図８のアンテナの指向性を示す特性曲線図である。
【図１０】本発明の実施例３のＩＣカードシステムを示すブロック図である。
【符号の説明】
【００６５】
１……音楽プレイヤーシステム、２……本体装置、３、４……イヤフォン装置、８、十３……送受信部、９Ａ〜９Ｃ、１５Ａ、１５Ｂ、３１、４１……アンテナ、２５、２７、２８……コア、２５Ａ……中央部、２５Ｂ、２５Ｃ……脚部、２６、２６Ａ、２６Ｂ……コイル
【図１】
2008258881.tif 000003
【図２】
2008258881.tif 000004
【図３】
2008258881.tif 000005
【図４】
2008258881.tif 000006
【図５】
2008258881.tif 000007
【図６】
2008258881.tif 000008
【図７】
2008258881.tif 000009
【図８】
2008258881.tif 000010
【図９】
2008258881.tif 000011
【図１０】
2008258881.tif 000012